(57)【要約】【課題】特に画像データの伝送ラインの断線あるいは短絡、コネクタ外れによる、白紙プリント並びに黒ベタプリントの発生を、未然に防止することができ、かつ異常時の画像データを保護する。【解決手段】第１の伝送ライン６２によって画像データを送信すると共に、シーケンスコントロールユニット６４において生成させる、ＬＤ２０を強制点灯させるための強制点灯信号とＬＤ２０を強制消灯させるための強制消灯信号とを第１の伝送ライン６２を介して、レーザ駆動ユニット５４へ送出するようにした。これにより、強制点灯信号の出力中（強制消灯信号の停止中）において、ＬＤ２０が点灯しないときは、第１の伝送ライン６２に断線等の不具合が発生していることを監視でき、画像データの送信不具合を検知できる。制消灯信号の出力中においてＬＤ２０が点灯したときは、ＬＤ２０の配線に短絡等が起きていることを監視でき、画像形成不良を検知できる。【選択図】図３
2007320160.tif 000002
【特許請求の範囲】
【請求項１】
画像信号を生成するビデオコントロールユニットからの画像データを伝送する第１の伝送ラインと、点灯タイミングを制御するシーケンスコントロールユニットからの光量制御信号を含むシーケンスデータを伝送する第２の伝送ラインと、が異なる伝送ラインにより構成され、前記第１の伝送ライン及び第２の伝送ラインにおけるそれぞれのデータ伝送時の接続先である光源駆動ユニットへ、画像データ及びシーケンスデータを伝送することで、当該光源駆動ユニットを制御し、光源から照射される光ビームを繰り返し主走査する光出力装置を備えた画像形成装置であって、
前記光源を強制点灯させるための強制点灯信号、該光源を強制消灯させるための強制消灯信号を、前記第１の伝送ラインにおけるデータ伝送時の接続元である前記ビデオコントロールユニットを経由して、前記光源駆動ユニットへ伝送するための第３の伝送ラインと、
前記強制点灯信号及び前記強制消灯信号の伝送中の、前記光源駆動ユニットの駆動状態を監視する監視手段と、
を有する画像形成装置。
【請求項２】
前記第３の伝送ラインで伝送される前記強制点灯信号による点灯指示、又は前記第１の伝送ラインで伝送される画像データによる点灯指示の何れか一方に基づいて一次出力信号が決定され、
前記第３の伝送ラインで伝送される前記強制消灯信号による消灯指示があった場合には、前記一次出力信号の出力を禁止することを特徴とする請求項１記載の画像形成装置。
【請求項３】
前記光源駆動ユニットは、前記監視手段で異常を検知した場合に、前記光源駆動ユニットが画像形成を終了したと認識される画像データを破棄せず、保存する保存手段をさらに有することを特徴とする請求項１又は請求項２記載の画像形成装置。
【請求項４】
前記強制点灯信号が、前記画像データに基づく画像形成処理の実行の如何に関わらず、前記画像データに基づく画像形成開始時期の基準となる同期検知期間中に出力されることを特徴とする請求項１乃至請求項３の何れか１項記載の画像形成装置。
【請求項５】
前記強制消灯信号が、少なくとも次の画像形成領域の主走査が行われないタイミング、かつ前記画像形成開始時期の基準となる同期検知期間中に出力されることを特徴とする請求項１乃至請求項４の何れか１項記載の画像形成装置。
【請求項６】
前記監視手段で異常を検知した場合、当該異常の情報を報知する報知手段をさらに有することを特徴とする請求項１乃至請求項５の何れか１項記載の画像形成装置。
【発明の詳細な説明】
【技術分野】
【０００１】
本発明は、画像信号を生成するビデオコントロールユニットからの画像データと、点灯タイミングを制御するシーケンスコントロールユニットからのシーケンスデータと、が異なる経路により光源駆動ユニットに伝送される光出力装置を備えた画像形成装置に関するものである。
【背景技術】
【０００２】
従来、画像形成装置に搭載される光源駆動ユニットでは、光ビームを画像データに応じて点灯／消灯の制御を行ない、ポリゴンミラー等の走査手段を介して、像担持体としての感光体ドラムへ照射する。
【０００３】
ここで、ポリゴンミラーにより感光体ドラムの軸線方向に光ビームを走査しながら（主走査）、感光体ドラムを回転（副走査）させることで静電潜像が形成される。
【０００４】
感光体ドラムに形成された静電潜像には、トナーが供給されることで顕像化され、その顕像化された像（トナー像）は、転写部において記録用紙に転写され、かつ記録用紙上の転写像が定着されることで、画像が形成される。
【０００５】
このような電子写真方式の画像形成装置は、高画質の画像を高速で処理することができるため、複写機やレーザープリンタ等に適用されている。
【０００６】
上記画像形成装置では、通常の画像データの書き込みとは別の作業として、サイド消し込みモードや後端消し込みモード、光量調整モード等の様々な処理が実行される。
【０００７】
サイド消し込みモードや後端消し込みモードは、画像の一部を強制的に消し込むモードであり、記録用紙の大きさにより画像書き込みエリアが大きいと、トナーが記録用紙に転写されず感光体ドラム上に残存して、機内の汚れの原因となるからである。
【０００８】
このため、記録用紙のサイドエッジ部分で強制的にＬＤを消灯させる（サイド消し込みモード）や、記録用紙の後端部分で強制的にＬＤを消灯させる（後端消し込みモード）ようにしている。
【０００９】
また、画像形成装置では、ホストコンピュータから受け取った指示に従い、ビデオコントロールユニットでは、画像データを生成する。また、プリンタや複写機の動作を制御するシーケンスコントロールユニットでは、画像形成エリア外で点灯タイミングや光量調整制御を実施している。
【００１０】
このビデオコントロールユニットからの画像データと、点灯タイミングを制御するシーケンスコントロールユニットからのシーケンスデータとは、異なる伝送ラインにより光量制御回路（レーザ駆動ユニット）に伝送される構成となっている（特許文献１参照）。
【００１１】
このため、構成部品や接続箇所が増加し、これに伴い発生する伝送デバイスの故障、伝送ラインの断線、コネクタ外れ等による画像データライン未入力による画質ディフェクトの発生が増加する傾向にある。
【特許文献１】特開平６−１６６２０７号公報
【発明の開示】
【発明が解決しようとする課題】
【００１２】
しかしながら、特許文献１に記載の画像形成装置では、画像データ入力に異常が発生した場合でも、シーケンスコントロールユニットからの伝送ラインとは別体とされた画像データの伝送ライン上では異常の検出手段はなく、白紙プリント等の異常プリントを見てはじめて異常が発生していることを認識するしかなかった。なお、異常の形態としては、ＬＤが常時点灯し、所謂黒ベタ画像となる場合もあり、このような場合でも、異常プリントを見なければ、当該異常を認識することができない。
【００１３】
また、上記白紙プリントや黒ベタプリント等の異常プリントが出力されてもシステム上は、正常終了とみなされ、一時保管された画像データが破棄されてしまい、再プリントができないという不具合が生じていた。
【００１４】
本発明は上記事実を考慮し、特に画像データの伝送ラインの断線あるいは短絡、コネクタ外れによる、白紙プリント並びに黒ベタプリントの発生を、未然に防止することができ、かつ異常時の画像データを保護することができる画像形成装置を得ることが目的である。
【課題を解決するための手段】
【００１５】
第１の発明は、画像信号を生成するビデオコントロールユニットからの画像データを伝送する第１の伝送ラインと、点灯タイミングを制御するシーケンスコントロールユニットからの光量制御信号を含むシーケンスデータを伝送する第２の伝送ラインと、が異なる伝送ラインにより構成され、前記第１の伝送ライン及び第２の伝送ラインの接続先である光源駆動ユニットへ、画像データ及びシーケンスデータを伝送することで、当該光源駆動ユニットを制御し、光源から照射される光ビームを繰り返し主走査する光出力装置を備えた画像形成装置であって、前記光源を強制点灯させるための強制点灯信号、該光源を強制消灯させるための強制消灯信号を、前記第１の伝送ラインの接続元である前記ビデオコントロールユニットを経由して、前記光源駆動ユニットへ伝送するための第３の伝送ラインと、前記強制点灯信号及び前記強制消灯信号の伝送中の、前記光源駆動ユニットの駆動状態を監視する監視手段と、を有している。
【００１６】
所定のタイミングで強制点灯信号を出力すると、強制点灯信号は、第３の伝送ラインによってビデオコントロールユニットへ伝送され、当該強制点灯信号は、ビデオコントロールユニットと光源駆動ユニットとを接続する第１の伝送ラインを介して光源駆動ユニットを送出される。すなわち、画像データの伝送路と一部が共有される。
【００１７】
このため、第１の伝送ラインに不具合が生じていると、監視手段により監視している光源駆動ユニットの駆動状態が変化する。例えば、監視手段としては、光源の発光状態を光電センサ等で検出することが一般的である。強制点灯信号の出力中は、正常であれば、当然光源が点灯を継続するため、この強制点灯信号の出力中に、前記光電センサ等で光を検出できなかった場合には、第１の伝送ラインを含む伝送系の異常を認識することができる。
【００１８】
一方、所定のタイミングで強制消灯信号を出力すると、強制消灯信号は、第３の伝送ラインによってビデオコントロールユニットへ伝送され、当該強制消灯信号は、ビデオコントロールユニットと光源駆動ユニットとを接続する第１の伝送ラインを介して光源駆動ユニットを送出される。すなわち、画像データの伝送路と一部が共有される。
【００１９】
このため、第１の伝送ラインに不具合が生じていると、監視手段により監視している光源駆動ユニットの駆動状態が変化する。例えば、監視手段としては、光源の発光状態を光電センサ等で検出することが一般的である。強制消灯信号の出力中は、正常であれば、当然光源が消灯を継続するため、この強制消灯信号の出力中に、前記光電センサ等で光を検出した場合には、第１の伝送ライン、光源の電気配線を含む伝送系の異常を認識することができる。
【００２０】
なお、監視手段としては、光電センサに限らず、光源を駆動するための電気配線の電流や電圧等を計測するものであってもよい。また、光が当たるときと当たらないときとで、濃度、色調、色相等が変化するプレートを配し、間接的に当該プレートの状態を検出する濃度センサ、色センサ等で監視するようにしてもよい。
【００２１】
上記発明において、前記第３の伝送ラインで伝送される前記強制点灯信号による点灯指示、又は前記第１の伝送ラインで伝送される画像データによる点灯指示の何れか一方に基づいて一次出力信号が決定され、前記第３の伝送ラインで伝送される前記強制消灯信号による消灯指示があった場合には、前記一次出力信号の出力を禁止することを特徴としている。
【００２２】
例えば、論理回路によって説明すると、画像データにおいて点灯時をＨ信号、消灯時をＬ信号とし、強制点灯信号及び強制消灯信号の出力時をＨ信号とする。
【００２３】
このとき、画像データと強制点灯信号とをＯＲ回路の入力端への入力信号とすると、一次出力信号がＨ信号となるのは、画像データにおけるＨ信号の出力時、或いは強制点灯信号の出力時の何れか一方となる。言い換えれば、強制点灯信号が出力されている場合は、光源が常時点灯となる。
【００２４】
この一次出力信号を、ＡＮＤ回路の一方の入力端に入力し、他方の入力端には、強制消灯信号の反転信号を入力させる。なお、ＡＮＤ回路の出力端は、第１の伝送ラインの接続元となる。
【００２５】
この結果、強制消灯信号の出力（Ｈ信号）時は、ＡＮＤ回路の他方の入力端には、反転されたＬ信号が入力されることになり、画像データや強制点灯信号による点灯指示があっても（一次出力信号がＨ信号であっても）、ＡＮＤ回路からはＬ信号、すなわち消灯を指示する信号が出力される。
【００２６】
上記のような論理回路によって、画像データ、強制点灯信号、強制消灯信号のそれぞれを第１の伝送ラインを介して光源駆動ユニットへ送出することで、光源の点灯状態の監視が可能となる。
【００２７】
なお、上記論理回路は一例であり、例えば、強制消灯信号の出力時をＬ信号とすれば、反転処理は不要である。また、上記論理回路に基づいて、ダイオードやリレー等でハード的に電気回路を構成してもよいし、ソフト的の処理を行ってもよい。
【００２８】
また、第１の発明において、前記光源駆動ユニットは、前記監視手段で異常を検知した場合に、前記光源駆動ユニットが画像形成を終了したと認識される画像データを破棄せず、保存する保存手段をさらに有することを特徴としている。
【００２９】
監視手段の監視の結果、異常を認識した場合、結果として正常な画像形成が行われないことになる。そこで、保存手段では、異常を検知の場合に光源駆動ユニットが画像形成を終了したと認識される画像データを破棄せず、保存する。これにより、異常修復後に当該異常発生による不適正な画像形成があった場合の対応が可能となる。
【００３０】
さらに、本発明において、前記強制点灯信号が、前記画像データに基づく画像形成処理の実行の如何に関わらず、前記画像データに基づく画像形成開始時期の基準となる同期検知期間中に出力されることを特徴としている。
【００３１】
前述した光電センサは、新規に設けてもよいが、光源駆動ユニットでは、画像形成時の主走査の開始時期を一致させるために、画像形成領域直前の主走査時期に同期検出期間を設けている。光源駆動ユニットには、この同期検出期間中の光ビームを検出するための、光電センサ（以下、主走査開始時期検出センサ」という）が設けられている。
【００３２】
本発明では、監視手段としての光電センサとして、上記主走査開始時期検出センサを流用することが可能である。
【００３３】
すなわち、画像データに基づく画像形成処理の実行の如何に関わらず、前記同期検知期間中に強制点灯信号を出力し、これを主走査開始時期検出センサによって検出することで、第１の伝送ラインの断線の有無等を監視することができる。
【００３４】
また、本発明において、前記強制消灯信号が、少なくとも次の画像形成領域の主走査が行われないタイミング、かつ前記画像形成開始時期の基準となる同期検知期間中に出力されることを特徴としている。
【００３５】
強制消灯信号を、少なくとも次の画像形成領域の主走査が行われないタイミング、かつ前記画像形成開始時期の基準となる同期検知期間中に出力する。この期間中の前記主走査開始時期検出センサによる検出状態を監視することで、光源の電気配線の短絡等による常時点灯という不具合を検出することができる。
【００３６】
さらに、本発明において、前記監視手段で異常を検知した場合、当該異常の情報を報知する報知手段をさらに有することを特徴としている。
【００３７】
監視手段での異常の検知の際、当該異常の情報を報知することで、異常発生時期に対して遅滞なく、オペレータ等への報知が可能であり、かつ異常の情報に基づいて、そのトラブルシューティングの対策が容易となる。
【００３８】
なお、第１の伝送ラインとしては、ビデオコントロールユニットから光源駆動ユニットへの入力電圧で画像データを、低電圧差動信号で伝送することも併せて実行してもよい。これは、監視手段の一部として機能する。
【００３９】
すなわち、低電圧差動信号により、「０（Ｌ）」又は「１（Ｈ）」を表現する場合において、例えば、しきい値（基準電圧）をＶｒとした場合に、基準電圧を超えていないと「０」又は「１」の判別がつかない。そこで、入力電圧をＶｒ以下（絶対値）となった場合に、異常と判定することで、断線等の画像データ未入力に加え、低電圧差動信号発生源の異常（電圧低下等）も検知することができる。この伝送ラインの構成は、第２の伝送ライン及び第３の伝送ラインにも適用可能である。
【発明の効果】
【００４０】
以上説明した如く本発明では、特に画像データの伝送ラインの断線あるいは短絡、コネクタ外れによる、白紙プリント並びに黒ベタプリントの発生を、未然に防止することができ、かつ異常時の画像データを保護することができるという優れた効果を有する。
【発明を実施するための最良の形態】
【００４１】
（画像形成装置の全体構成）
まず、本発明の光走査装置が用いられる画像形成装置の全体構成について、図１に基づき概説する。
【００４２】
図１に示すように、画像形成装置１０はケーシング１２を備え、このケーシング１２内には、矢印Ａ方向に回転する円筒状の感光体ドラム１４と、所望の画像データに基づいて光ビームＢを感光体ドラム１４へ主走査しながら照射する光走査装置１６とが設けられている。この光走査装置１６の筐体１８の内部には、レーザー光源（ＬＤ）２０、回転多面鏡２２及びミラー（反射鏡）２３が配設されている。
【００４３】
一方、感光体ドラム１４の周面近傍には、感光体ドラム１４の回転方向上流側から順に、帯電器２４、現像器２６、転写器２８、クリーナー３０が配置されている。感光体ドラム１４は、帯電器２４によって一様に帯電された後、光走査装置１６から光ビームＢが照射される。これにより、感光体ドラム１４の周面上に画像データに応じた静電潜像が形成される。
【００４４】
静電潜像が形成された感光体ドラム１４は、現像器２６からトナーが供給され、光走査装置１６によって光ビームＢが照射された部分にトナーを付着するようになっている。これにより、感光体ドラム１４の周面上にトナー像が形成される。
【００４５】
感光体ドラム１４上に形成されたトナー像は、転写器２８によって、用紙トレイ３２又は手差しトレイ３４から搬送される用紙３６へ転写される。転写後、感光体ドラム１４の周面に残留しているトナーは、クリーナー３０によって除去される。
【００４６】
トナー像が転写された用紙３６は、用紙３６の搬送方向下流側に設けられた定着器３８に搬送され（矢印Ｃ方向参照）、定着器３８の加圧ローラ４０と加熱ローラ４２によって、転写されたトナー像が用紙３６へ熱圧着される。画像定着がなされた用紙３６は排出トレイ４４に排出される。
【００４７】
（光走査装置１６）
図２に示される如く、光走査装置１６は、制御系を含む光出力装置４６の一部を構成している。光走査装置１６には、レーザー光源２０を備えている。また、レーザー光源２０から発光された光ビームは、コリメータレンズ４８、シリンドリカルレンズ５０、回転多面鏡２２、Ｆθレンズ５２Ａ、Ｆθレンズ５２Ｂ、ミラー２３を順に通過（透過、反射）して像担持体である感光体ドラム１４へと至る構成となっている。
【００４８】
また、レーザー光源２０は、レーザー駆動ユニット５４の光量制御装置５６に接続されており、この光量制御装置５６により点灯／消灯が制御されるようになっている。
【００４９】
前記レーザー駆動ユニット５４には、前記光量制御装置５６の他、データ制御装置５８が設けられ、このデータ制御装置５８に、別々の伝送ライン（第１の伝送ライン６２、第２の伝送ライン６０）でビデオコントロールユニット６６と、シーケンスコントロールユニット６４とが接続されている（なお、上記レーザー駆動ユニット５４を含むレーザー光源２０の制御系については、後述する。
【００５０】
また、シーケンスコントロールユニット６４とビデオコントロールユニット６６との間には、後述する同期信号、強制点灯信号及び強制消灯信号をシーケンスコントロールユニット６４からビデオコントロールユニット６６へ伝送するための第３の伝送ライン６９が接続されている。
【００５１】
前記レーザー光源２０から発光された光ビームは、コリメータレンズ４８によって略平行光とされ、さらに、シリンドリカルレンズ５０を透過することで、副走査方向に絞られた光ビームとなって、回転多面鏡２２上へ照射される。
【００５２】
回転多面鏡２２が、図示しないモータによって矢印Ｄ方向に高速で回転することにより、回転多面鏡２２上へ照射された光ビームは、周面に設けられた複数（本実施の形態では、８面）の反射面２２Ａで反射されて、感光体ドラム１４へ偏向走査（主走査）される。回転多面鏡２２の反射面２２Ａで偏向された光ビームは、２枚組のＦθレンズ５２Ａ、５２Ｂを透過し、ミラー２３の反射面で反射して折り返し、図示しない防塵対策のガラスを透過して感光体ドラム１４上に結像される。また、ミラー２３により反射し、感光体ドラム１４へと至る光路上（主走査方向始点側）には、主走査開始時期検出センサとしてのＳＯＳセンサ６８が設けられている。このＳＯＳセンサ６８には、回転多面鏡２２によって反射され、主走査される光ビームが入射され、その検出結果が主走査タイミングのパラメータとして適用される。
【００５３】
（光出力装置４６の制御系）
図３に示される如く、ビデオコントロールユニット６６は、画像データ生成部１００と画像データ送出部１０２を備えており、ホストコンピュータ７０（又はハードディスクドライブ）からの外部画像データを画像データ生成部１００で受け取り、例えば、画像形成処理に則した、ビットマップデータ等に変換されて画像データ送出部１０２へ送出されるようになっている。画像データ送出部１０２は、後述する論理回路群１０４、並びに第１の伝送回路６２を介して、光出力装置４６のレーザー駆動ユニット５４の一部を構成するデータ制御装置５８に接続されている。
【００５４】
レーザー駆動ユニット５４は、レーザー光源２０を駆動制御するものであり、前述したデータ制御装置５８が、主として、レーザー光源２０に入力される画像データのオン・オフ信号を切り替える。また、光量制御装置５６は、レーザー光源２０の光量を所定の出力に制御する役目を有している。
【００５５】
光量制御装置５６では画像書き込み前にレーザー光源２０の光量が所定の出力となるように光量調整した後、画像形成エリア外にて１走査毎に光量調整制御を行う光量調整点灯モードを実施する。
【００５６】
また、光量制御装置５６では、画像データを受け入れると、この画像データに基づいて、画像形成エリア内に画像形成する画像書込点灯モードでレーザー光源２０を駆動するようになっている。
【００５７】
すなわち、本実施の形態では、シーケンスコントロールユニット６４を介さずに、別の伝送ライン（第１の伝送ライン６２）によって、データ制御装置５８へ直接画像データが入力される構成となっており、伝送ライン６２の物理的な長さの短縮化が図られ、当該伝送ライン６２からの不要輻射波等の発生を抑制することが可能となっている。
【００５８】
一方、このシーケンスコントロールユニット６４のタイミングコントロール部１０６では、光出力装置４６に対して、レーザー光源２０の画像データの切り替えを指示する画像データ切替信号を送出する共に、光走査装置１６に光学系（特に、回転多面鏡２２）の動作を制御する光走査制御信号を送出する。
【００５９】
また、タイミングコントロール部１０６は、光出力装置４６に対して、画像書き出しタイミング信号や、自動光量制御タイミング信号等の出力制御信号を送出している。
【００６０】
シーケンスコントロールユニット６４には、同期信号発生部１０８が設けられ、光走査装置１６のＳＯＳセンサ６８からの検出信号が入力されるようになっている。なお、このＳＯＳセンサ６８からの検出信号は、前記タイミングコントロール部１０６へも入力される。
【００６１】
同期信号発生部１０８は、各主走査毎の画像データ出力時期を制御する同期信号を発生し、画像データ送出部１０２へ送出する機能を有している。また、タイミングコントロール部１０６には、強制信号発生部１１０が接続されている。強制信号発生部１１０は、入力されるタイミングコントロール信号に基づいて、所定の時期に、強制的にレーザー光源２０を点灯させる機能（強制点灯信号出力機能）と、強制的にレーザー光源２０を消灯させる機能（強制消灯信号出力機能）を有している。
【００６２】
この同期信号、強制点灯信号、強制消灯信号は、第３の伝送ライン６９を介して、ビデオコントロールユニット６６へ送出される。
【００６３】
同期信号は、ビデオコントロールユニット６６の画像データ送出部１０２へ入力され、この同期信号に基づいて、画像データが送出される。
【００６４】
一方、強制点灯信号及び強制消灯信号は、前記論理回路群１０４に入力される。ここで、画像データ送出部１０２と第１の伝送ライン６２との間に設けられた論理回路群１０４について詳述する。
【００６５】
（論理回路群１０４）
画像データ送出部１０２の出力端１０２Ａに接続された信号線１１２は、ＯＲ回路１１４の一方の入力端１１４Ａに接続されている。ここで、画像データにおける点灯指示信号はＨ信号であり、消灯信号はＬ信号である。
【００６６】
このＯＲ回路１１４の他方の入力端１１４Ｂに接続された信号線１１６は、強制信号発生部１１０において強制点灯信号を出力する第１の出力端１１０Ａに接続されている。強制点灯信号は、強制点灯を指示する場合にＨ信号となり、それ以外はＬ信号である。この結果、ＯＲ回路１１４には、画像データと強制点灯信号の何れかが入力され、何れかがＨ信号の場合に出力端１１４ＣからＨ信号、すなわち点灯を指示する信号が出力されることになる。
【００６７】
ＯＲ回路１１４の出力端１１４Ｃに接続された信号線１１８は、ＡＮＤ回路１２０の一方の入力端１２０Ａに接続されている。また、ＡＮＤ回路１２０の他方の入力端１２０Ｂに接続された信号線１２２は、反転回路１２４の出力端１２４Ａに接続されている。この反転回路１２４の入力端１２４Ｂに接続された信号線１２６は、前記強制信号発生部１１０において強制消灯信号を出力する第２の出力端１１０Ｂに接続されている。強制消灯信号は、強制消灯する場合にＨ信号となり、それ以外はＬ信号である。この結果、ＡＮＤ回路１２０には、ＯＲ回路１１４の出力信号と、強制消灯信号の反転信号が入力され、何れかがＬ信号の場合には、ＡＮＤ回路１２０の出力端からＬ信号、すなわち消灯を指示する信号が出力される。言い換えれば、強制消灯信号の出力時（Ｈ信号）は、ＡＮＤ回路１２０の他方の入力端１２０Ｂには、Ｌ信号が入力されるため、ＯＲ回路１１４の出力に関わらず、常時消灯を指示する信号が出力される。
【００６８】
ＡＮＤ回路１２０の出力端１２０Ｃは、前記第１の伝送ライン６２に接続されている。このため、第１の伝送ライン６２は、画像データに加え、前記強制点灯信号及び強制消灯信号を光出力装置４６へ送出することになる。
【００６９】
（強制点灯信号の役割）
強制点灯信号が出力されるのは、図４に示される如く、画像データが出力される直前及び直後である。なお、当該画像データの直後の強制点灯領域は、次の主走査の画像データの直前の強制点灯領域と連続する。
【００７０】
すなわち、この強制点灯信号は、光量調整点灯モードでの光量調整制御時、並びに前記ＳＯＳセンサ６８による同期信号検出時に出力される。この強制点灯信号の出力時は、ＬＤ２０は必ず点灯することになる。
【００７１】
ところが、この強制点灯信号の出力時期の範囲において、ＳＯＳセンサ６８が当該光を検出しなかった場合、第１の伝送ライン６２を含む信号線に何らかの不具合（断線等）が発生していると推測される。
【００７２】
そこで、図３に示される如く、ＳＯＳセンサ６８の検出信号を受けるタイミングコントロール部１０６には、点灯監視部１２８が接続され、強制点灯信号の出力時期におけるＬＤ２０の点灯状態を監視する。
【００７３】
この監視の結果は、異常判定部１３０に送出される。異常判定部１３０では、点灯すべき時期にＬＤ２０が点灯しているか否かの判定を行い、異常を認識した場合には、異常報知出力部１３２へ異常信号を送出する。異常報知出力部１３２には、アラートデバイス１３４（例えば、表示器や警報機等）が接続されており、当該異常をオペレータへ報知する。
【００７４】
（強制消灯信号の役割）
（１）  強制消灯信号は、画像データのサイズ（主走査方向）が、用紙３６のサイズよりも大きい場合に、用紙３６のサイズを逸脱する領域に対して出力される。この強制消灯信号の出力により、感光体ドラム１４に無駄なトナーが転写されることがなく、クリーニングが容易となる。また、無駄がトナーが転写されることによる次の画像への悪影響（汚れ等）の発生を防止する。
【００７５】
（２）  強制消灯信号の出力により、ＬＤ２０の通電短絡の有無を監視する。
【００７６】
この場合、強制消灯信号の出力は、少なくとも、回転多面鏡２２の一面以上がパス（画像データなし）される時期、例えば、ページ間、ジョブ間、スタンバイ状態であり、図５は、ページ間での実行状態を示している。すなわち、強制消灯信号が出力された直後の画像領域では画像形成処理は実行されないことになる。
【００７７】
強制消灯信号が出力されると、ＬＤ２０は点灯する可能性が全くないため、ＳＯＳセンサ６８による光の検出はない。
【００７８】
ところが、図６に示される如く、この強制消灯信号の出力時期の範囲において、ＳＯＳセンサ６８が当該光を検出した場合、第１の伝送ライン６２を含む信号性に何らかの不具合（短絡等）が発生していると推測される。
【００７９】
そこで、ＳＯＳセンサ６８の検出信号を受けるタイミングコントロール部１０６には、点灯監視部１２８が接続され、強制消灯信号の出力時期におけるＬＤ２０の点灯（消灯）状態を監視する。
【００８０】
この監視の結果は、異常判定部１３０に送出され、異常判定の場合は前述の如く、アラートデバイス１３４により、当該異常をオペレータへ報知する。
【００８１】
以下に本実施の形態の作用を説明する。
【００８２】
画像形成装置では、シーケンスコントロールユニット６６から画像の形成が指示されると、光走査装置１６の駆動制御を開始する。これにより、感光体ドラム１４が帯電器２４によって一様に帯電され、ビデオコントロールユニット６６によって生成された画像データが、データ制御装置５８を通り、光量制御装置５６で所定の光量に制御された後、レーザー光源２０を駆動して、用紙３６に形成するべき画像に対応して光ビームを照射する。これにより、感光体ドラム１４上に静電潜像が形成される。
【００８３】
感光体ドラム１４上に形成された静電潜像は、現像器２６によりトナーが供給されて現像される。現像されたトナー像は、転写器２８によって用紙３６に転写される。また、トナー像が転写された用紙３６は、排出トレイ４４への搬送中に定着器３８によって定着され、排出される。
【００８４】
ここで、本実施の形態では、繰り返される画像形成領域の同期検出時期における所定の時期に、ＬＤ２０の点灯状態（消灯状態）を監視している。この監視を実行する際には、ＬＤ２０を強制的に点灯する信号（強制点灯信号）、及びＬＤ２０を強制的に消灯する信号（強制消灯信号）を用いるが、この強制点灯信号及び強制消灯信号を、第１の伝送ライン６２、すなわち画像データをビデオコントロールユニット６６から光出力装置４６へ伝送する伝送ラインを使っていることに特徴がある。これにより、第１の伝送ライン６２に不具合があった場合に、強制点灯時、強制消灯時の監視で、当該第１の伝送ライン６２の異常を確認することができる。
【００８５】
図６は、上記ＬＤ２０の状態監視の流れを示すフローチャートである。
【００８６】
ステップ２００では、画像形成指示があったか否かが判断され、否定判定されるとステップ２００からステップ２４６へ移行する（コネクタＢ）。ステップ２４６では、強制消灯指示があったか否かが判断され、否定判定されるとステップ２００へ戻る（コネクタＡ）。すなわち、画像形成指示時期か、或いはＬＤ２０の配線の短絡等による異常点灯を判断する時期かの判断を繰り返す。
【００８７】
ここで、ステップ２００において肯定判定されると、ステップ２００からステップ２０２へ移行して、強制点灯時期（光量制御、同期検出）か否かが判断され、肯定判定されると、ステップ２０４へ移行する。
【００８８】
ステップ２０４では、強制点灯信号を出力する（Ｈ信号）。次のステップ２０６では、ＳＯＳセンサ６８からの出力を読み取り、次いでステップ２０８へ移行して同期検出したか否かが判断される。すなわち、ＬＤの光がＳＯＳセンサ６８に入光したか否かが判断され、否定判定の場合には、ステップ２１０へ移行して所定時間経過したか否かが判断される。この所定時間は、走査される光がＳＯＳセンサを通過するであろう時間帯であり、予め設定されている。このステップ２１０で否定判定の場合は、ステップ２０８へ戻り、ステップ２０８、２１０を繰り返す。
【００８９】
ここで、ステップ２１０で肯定判定された場合は、ＬＤ２０からの光がＳＯＳセンサ６８で検出する時間帯で検出できないと判断され、ステップ２１２へ移行する。ステップ２１２では、例えば、第１の伝送ライン６２の断線等でＬＤ２０が全く点灯していない（或いは正しく点灯していない）と判断し、異常報知を実行し、このルーチンは終了する。
【００９０】
また、前記ステップ２０８で肯定判定された場合は、正常に同期検出が行えたと判断し、ステップ２１４へ移行する。
【００９１】
ステップ２１４では、画像データ逸脱が有るか否かが判断される。すなわち、画像データの領域に対して、用紙３６のサイズが小さい場合、感光体ドラム１４に不要なトナーが大量に現像されることになる。そこで、このステップ２１４で肯定判定された場合には、ステップ２１６へ移行する。ステップ２１６では、フラグＦをセット（１）し、次いでステップ２１８へ移行して、強制点灯時期になったか否かが判断される。
【００９２】
ステップ２１８で肯定判定されると、ステップ２２０へ移行して、強制点灯信号を停止（Ｌ信号）し、かつ強制消灯信号を出力（Ｈ信号）し、ステップ２２２へ移行する。ステップ２２２では、逸脱エリアが終了したか否かが判断され、肯定判定されると、ステップ２２４へ移行して強制消灯信号を停止（Ｌ信号）し、かつ強制点灯信号を出力（Ｈ信号）し、ステップ２２６へ移行する（コネクタＤ）。このステップ２１６、２１８、２２０、２２２、２２４によって主走査前の画像逸脱エリアの画像データに基づくＬＤ２０の点灯を回避することができる（前側目隠し）。なお、フラグＦは、主走査後側において、同一の制御を実行するためのものである（後述するステップ２３０参照）。
【００９３】
前記ステップ２１４で否定判定された場合、或いは、コネクタＤによりステップ２２４から移行するステップ２２６では、画像データの出力時期か否かが判断され、肯定判定されると、ステップ２２８へ移行して１主走査が実行され、ステップ２３０へ移行する。
【００９４】
ステップ２３０では、前記フラグＦがセット（１）されているか否かが判断される。ステップ２３０で肯定判定されると、ステップ２３２へ移行して、フラグＦをリセット（０）し、次いでステップ２３４へ移行して、強制点灯信号を停止（Ｌ信号）し、かつ強制消灯信号を出力（Ｈ信号）し、ステップ２３６へ移行する。ステップ２３６では、逸脱エリアが終了したか否かが判断され、肯定判定されると、ステップ２３８へ移行して強制消灯信号を停止（Ｌ信号）し、かつ強制点灯信号を出力（Ｈ信号）し、ステップ２４０へ移行する（コネクタＥ）。このステップ２３２、２３４、２３６、２３８によって主走査後の画像逸脱エリアの画像データに基づくＬＤ２０の点灯を回避することができる（後側目隠し）。
【００９５】
前記ステップ２３０で否定判定された場合、或いは、コネクタＥによりステップ２３８から移行したステップ２４０では、１ページ分の主走査が終了したか否かが判断され、否定判定されるとステップ２０２へ戻り（コネクタＣ）、上記工程を繰り返す。
【００９６】
また、ステップ２４０で肯定判定されると、ステップ２４２へ移行して、強制点灯終了時期か否かが判断され、肯定判定されるとステップ２４４へ移行して、強制点灯信号を停止（Ｌ信号）し、ステップ２４６へ移行する。
【００９７】
ステップ２４６では、前述の如く強制消灯時期か否かが判断され、肯定判定されると、ステップ２４８へ移行して強制消灯信号を出力（Ｈ信号）し、ステップ２５０へ移行する。ステップ２５０では、ＳＯＳセンサ６８からの信号を読み取り、次いでステップ２５２へ移行して、光を検出したか否かが判断される。この強制消灯信号の出力期間中（ステップ２５４の所定時間中）に光を検出した場合は、ＬＤ２０の配線の短絡等によりＬＤ２０が異常点灯していると判断され、ステップ２５６へ移行して異常報知を実行し、このルーチンは終了する。
【００９８】
また、ステップ２５４で所定時間経過したと判断された場合には、ＬＤ２０は正常と判断され、ステップ２００へ戻り、上記工程を繰り返す（コネクタＡ）。
【００９９】
すなわち、強制点灯信号の出力（Ｈ信号）、強制消灯信号の停止（Ｌ信号）の場合には、図３に示す論理回路群１０４での論理演算により、ＬＤ２０は第１の伝送ライン６２を経由した信号により、画像データの有無に関わらず、常時点灯状態とすることができる。また、強制消灯信号の出力（Ｈ信号）の場合（強制点灯信号の状態は無関係であるが、Ｌ信号が好ましい）には、図３に示す論理回路群１０４での論理演算により、ＬＤ２０は第１の伝送ライン６２を経由した信号により、画像データの有無に関わらず、常時消灯状態とすることができる。
【０１００】
なお、前記異常点灯、或いは異常消灯が検知された場合、その直前直後に送出される画像データに基づいて正しく画像形成処理ができない場合があるため、この画像データを一時的に保存するためのメモリをレーザ駆動ユニット５４に設けるようにしてもよい。
【０１０１】
以上説明したように本実施の形態では、ビデオコントロールユニット６４からレーザ駆動ユニット５４への伝送ライン（第１の伝送ライン６２）によって画像データを送信すると共に、シーケンスコントロールユニット６４において生成させる、ＬＤ２０を強制点灯させるための強制点灯信号とＬＤ２０を強制消灯させるための強制消灯信号とを前記第１の伝送ライン６２を介して、レーザ駆動ユニット５４へ送出するようにした。これにより、強制点灯信号の出力中（強制消灯信号の停止中）において、ＬＤ２０が点灯しないときは、第１の伝送ライン６２に断線等の不具合が発生していることを監視でき、画像データの送信不具合を検知することができる。また、強制消灯信号の出力中において、ＬＤ２０が点灯したときは、ＬＤ２０の配線に短絡等が起きていることを監視でき、画像形成不良を検知することができる。
【０１０２】
なお、本実施の形態では、レーザ駆動ユニット６６の画像データ送出部１０２の下流側に、論理回路群１０４は配設し、強制点灯信号をＯＲ回路１１４の第２の入力端１１４Ｂに接続し、強制消灯信号を反転回路１２４を介してＡＮＤ回路１２０の第２の入力端１２０Ｂに接続する構成としたが、これは、強制点灯信号及び強制消灯信号の出力状態の信号レベルが共にＨ信号の場合である。この強制点灯信号の出力レベルと強制消灯信号の出力レベル（Ｈ信号、Ｌ信号）の設定に基づいて、論理回路構成を変更すればよい。
【０１０３】
また、論理回路群１０４は、ソフト的に処理を行い、強制点灯信号及び強制消灯信号の出力状態を判断するようにしてもよいし、ダイオード、リレー等を用いてハード的に構成してもよい。
【図面の簡単な説明】
【０１０４】
【図１】本実施の形態に係る画像形成装置の概略構成図である。
【図２】画像形成装置の光走査装置とその制御系を中心としたブロック図である。
【図３】制御系の詳細を示すブロック図である。
【図４】強制点灯信号によるＬＤ点灯状態を監視するためのタイミングチャートである。
【図５】強制消灯信号によるＬＤ消灯状態を監視するためのタイミングチャートである（正常時）。
【図６】強制消灯信号によるＬＤ消灯状態を監視するためのタイミングチャートである（異常時）。
【図７】本実施の形態に係る画像形成処理制御の流れを示すフローチャートである。
【符号の説明】
【０１０５】
１０    画像形成装置
１４    感光体ドラム
１６    光走査装置
２０    レーザー光源（ＬＤ）
２２    回転多面鏡
２４    帯電器
２６    現像器
２８    転写器
３０    クリーナー
３６    用紙
３８    定着器
４４    排出トレイ
４６    光出力装置
５４    レーザー駆動ユニット
５６    光量制御装置
５８    データ制御装置
６２    第１の伝送ライン
６０    第２の伝送ライン
６６    ビデオコントロールユニット
６４    シーケンスコントロールユニット
６６    ビデオコントロールユニット
６８    ＳＯＳセンサ
６９    第３の伝送ライン
７０    ホストコンピュータ
１００    画像データ生成部
１０２    画像データ送出部
１０４    論理回路群
１０６    タイミングコントロール部
１０８    同期信号発生部
１１０    強制信号発生部
１１４    ＯＲ回路
１２０    ＡＮＤ回路
１２４    反転回路
１２８    点灯監視部（監視手段）
１３０    異常判定部（監視手段）
１３２    異常報知出力部（報知手段）
１３４    アラートデバイス（報知手段）
【図１】
2007320160.tif 000003
【図２】
2007320160.tif 000004
【図３】
2007320160.tif 000005
【図４】
2007320160.tif 000006
【図５】
2007320160.tif 000007
【図６】
2007320160.tif 000008
【図７】
2007320160.tif 000009